(57)【要約】【課題】  飲料抽出器に備える飲料容器の把手を、少なくとも容器側部材と握り側部材とに分離して構成し、色彩や材質による意匠的効果や多様性に優れ、コスト安価にデザインを変更できるようにする。【解決手段】  水タンクから出湯口に至る給湯通路及び加熱手段を含む本体３と、抽出用原料を収容し湯を注いで飲料成分を抽出する抽出器８と、抽出液を受ける把手付きの飲料容器１とを備える飲料抽出器Ａにおいて、飲料容器１の把手２として、飲料容器１の胴部１１の側面に長手方向を上下方向にして固定された容器側部材２１と、容器側部材２１より外方の握り側部材２２との少なくとも二つの部材を別形成し、容器側部材２１の上下両端部から外方に延出している上下支持部２３，２４に握り側部材２２を連結固定する。【選択図】  図２
2009060931.tif 000002
【特許請求の範囲】
【請求項１】
水タンクから出湯口に至る給湯通路及び加熱手段を含み、湯を出湯口から吐出する本体と、抽出用原料を収容し且つ前記出湯口から吐出される湯を注ぐことにより飲料成分を抽出する抽出器と、前記抽出器で抽出されて落下する抽出液を受ける把手付きの飲料容器とを備える飲料抽出器において、前記飲料容器の把手は、該飲料容器の胴部側面に長手方向を上下方向にして固定された容器側部材と、該容器側部材より外方の握り側部材との少なくとも二つの部材が別形成され、前記容器側部材の上下両端部から外方に延出している上下支持部に前記握り側部材が連結固定されてなることを特徴とする飲料抽出器における飲料容器の把手構造。
【請求項２】
前記把手における前記容器側部材の胴部側面との対向側が該胴部側面に対応した曲面をなすとともに、該容器側部材が前記胴部側面に締め止めされている金属製バンド部材に対し固定され、前記対向側の曲面が前記胴部側面に接して傾きを生じないように固定されてなる請求項１に記載の飲料抽出器における飲料容器の把手構造。
【請求項３】
前記把手における上下支持部が、前記容器側部材とは別体に形成され、該容器側部材に対し上下両端部から外方への延出状をなすように固定されてなる請求項１又は２に記載の飲料抽出器における飲料容器の把手構造。
【請求項４】
前記容器側部材の上下両端部における胴部側面との対向側に切欠段部が形成され、該容器側部材とは別形成された前記上下支持部が、それぞれ前記切欠段部に対応する基端部と該基端部から屈曲して外方へ延出する部分とによる鉤状をなし、前記切欠段部において前記基端部が容器側部材に固定され、前記胴部側面との間に間隙を保有している請求項３に記載の飲料抽出器における飲料容器の把手構造。
【請求項５】
前記把手における上下支持部が全体としてＣ形状をなすように連結部を介して一体に連設されており、前記容器側部材の胴部側面との対向側に上下方向に形成された凹溝に嵌合して該容器側部材とともに飲料容器の胴部側面に固定されてなる請求項３に記載の飲料抽出器における飲料容器の把手構造。
【請求項６】
前記把手における上下支持部が、前記容器側部材と一体形成されてなる請求項１又は２に記載の飲料抽出器における飲料容器の把手構造。
【請求項７】
前記握り側部材の上下両端が上下支持部の端部に回転不能に連結固定されてなる請求項１〜６のいずれか１項に記載の飲料抽出器における飲料容器の把手構造。
【発明の詳細な説明】
【技術分野】
【０００１】
本発明は、コーヒーメーカー、ティーメーカー等の飲料抽出器における飲料容器の把手構造に関するものである。
【背景技術】
【０００２】
家庭で使用するコーヒーや紅茶等の飲料抽出器、例えば、熱湯を注いで飲料としてのコーヒーを抽出するコーヒーメーカーは、例えば、特許文献１又は特許文献２に見られるように、水タンクから送出される水を加熱ヒータを備える加熱部を通って出湯口に導く給湯通路、あるいは加熱源を有する水タンクで加熱された湯を出湯口に導く給湯通路が設けられており、出湯口から吐出される湯をコーヒー粉を収容したフィルター付きの抽出器に入れてコーヒーを抽出し、抽出液を下方に配置したサーバーと称する飲料容器で受けるようになっている。抽出液を受ける前記飲料容器の載置部の下面には加熱ヒータが配設されており、飲料容器内の抽出液を保温できるようになっている。紅茶等のティーメーカーの場合も、殆ど同様の構成になっている。
【０００３】
前記飲料抽出器において使用される飲料容器は、比較的高温の抽出液を収容することから、一般には耐熱性のあるガラス製の容器が使用されており、該容器の胴部側面には、主として合成樹脂製の把手が取着されている（特許文献１〜３）。
【０００４】
前記飲料容器の把手は、耐熱性の合成樹脂材による一体成形品よりなるものが一般的であり、通常、長手方向を上下方向にして、容器胴部に対し締め止めされたバンド部材に対し該把手の握り部を貫通する孔を通してビス等のねじ部材により固定されている。
【０００５】
また、飲料抽出器に使用する飲料容器において、前記把手の取り付け状態を安定させる目的で、把手の上端部を容器上端部に係止し、下端部を容器下部に締め止めしたバンド部材に固定し、さらに把手の下端部に容器下方を支持する薄板を設けて、容器を上下から挟持した状態にして取り付けるものもある（特許文献３）。
【特許文献１】特開２０００−１５７４２０号公報
【特許文献２】特開２００５−２３０２１８号公報
【特許文献２】特開平１１−２５３２９２号公報
【発明の開示】
【発明が解決しようとする課題】
【０００６】
前記従来の飲料容器の把手構造においては、把手自体が一体ものであって、色彩が単一であるのが普通であり、そのため、色彩による意匠的印象が弱く、また部分的に色彩や形状を変更するのは容易ではなく、把手としてのデザインの多様性に乏しいものである。例えば、部分的な形状やデザインの変更であっても、把手を成形する金型を変更する必要があり、コスト高になる。また、飲料容器のサイズや形状に応じて、それぞれに対応した大きさや形状の把手が必要であるため、多種になればなるほど金型代が高くつくことにもなる。さらに、一体の把手であると、仮に握り部等の一部が破損した場合は、把手全体を取り換える必要があり、不経済である。
【０００７】
本発明は、上記の鑑みてなしたものであり、飲料抽出器に備える飲料容器の把手を、胴部に固定するための容器側部材と、握り側部材との少なくとも二つの部材に分離して構成することにより、部分的に色彩を異にすることが容易に可能で、色彩や材質による意匠的効果を高めることができるとともに、デザインの変化の多様性に優れ、コスト安価にデザインを変更できる把手構造を提供するものである。
【課題を解決するための手段】
【０００８】
上記の課題を解決する本発明の飲料抽出器における飲料容器の把手構造は、水タンクから出湯口に至る給湯通路及び加熱手段を含み、湯を出湯口から吐出する本体と、抽出用原料を収容し且つ前記出湯口から吐出される湯を注ぐことにより飲料成分を抽出する抽出器と、前記抽出器で抽出されて落下する抽出液を受ける把手付きの飲料容器とを備える飲料抽出器において、前記飲料容器の把手は、該飲料容器の胴部側面に長手方向を上下方向にして固定された容器側部材と、該容器側部材より外方の握り側部材との少なくとも二つの部材が別形成され、前記容器側部材の上下両端部から外方に延出している上下支持部に前記握り側部材が連結固定されてなることを特徴とする。
【０００９】
この把手構造によれば、飲料容器に固定される容器側部材と握り側部材とを、例えば合成樹脂材等により個別に成形することができるので、これら両部材の材質や色彩等が異なる組み合わせにすることができ、これにより把手の外観上の意匠的効果を高めることができるとともに、容器側部材を変更しないでも握り側部材の形状や色彩を変更することで、把手としてのデザインを変えることが可能になる。
【００１０】
前記の把手構造において、前記把手における前記容器側部材の胴部側面との対向側が該胴部側面に対応した曲面をなすとともに、該容器側部材が前記胴部側面に締め止めされている金属製バンド部材に対し固定され、前記対向側の曲面が前記胴部側面に接して傾きを生じないように固定されてなるものが好ましい。これにより、前記把手を横断面円形の飲料容器の胴部側面に対し、傾きを生じさせずに安定性よく取付固定できる。
【００１１】
前記の把手構造において、前記把手における上下支持部が、前記容器側部材とは別体に形成され、該容器側部材に対し上下両端部から外方への延出状をなすように固定されてなるものが好ましい。これにより、前記上下支持部を、容器側部材及び握り側部材のそれぞれと色彩や材質を変更することができ、これら各部材の組み合わせにより、把手のデザインをさらに多様化でき、装飾効果を高めることができる。
【００１２】
前記の把手構造において、前記容器側部材の上下両端部における胴部側面との対向側に切欠段部が形成され、該容器側部材とは別形成された前記上下支持部が、それぞれ前記切欠段部に対応する基端部と該基端部から屈曲して外方へ延出する部分とによる鉤状をなし、前記切欠段部において前記基端部が容器側部材に固定され、前記胴部側面との間に間隙を保有しているのが好ましい。これにより、容器側部材を胴部側面に対し密着させて固定できるばかりか、飲料容器に比較的高温の抽出液が収容されていても、前記飲料容器の熱が前記上下支持部に伝わり難く、該上下支持部を介して握り側部材に熱伝導するのを防止でき、該握り側部材が熱くなって把持できなくなるのを防止できる。
【００１３】
前記の把手構造において、前記把手における上下支持部が全体としてＣ形状をなすように連結部を介して一体に連設されており、前記容器側部材の胴部側面との対向側に上下方向に形成された凹溝に嵌合して該容器側部材とともに飲料容器の胴部側面に固定されてなるものとすることができる。また、前記把手における上下支持部が、前記容器側部材と一体形成されてなるものとすることもできる。
【００１４】
さらに、前記各発明において、前記握り側部材の上下両端が上下支持部の端部に回転不能に連結固定されてなるものが好ましく、これにより、握り側部材をのみを把持することにより、飲料容器を回動や揺動させずに安定性よく持ち上げることができる。
【発明の効果】
【００１５】
上記したように本発明の把手構造によれば、コーヒーメーカー等の飲料抽出器において、飲料容器の把手を、容器胴部に固定するための容器側部材と、握り側部材との少なくとも二つの部材に分離して構成することにより、部材毎に材質や色彩を異にすることが可能であるため、これらの部材の組み合わせにより、色彩や表面の費用面の等による意匠的効果を高めることができ、高級感を出すこともできる。
【００１６】
また、容器側部材を飲料容器の胴部側面に固定した後、握り側部材を前記容器側部材の上下両端部から外方に延出している上下支持部に連結固定することにより組み立て構成できるため、容器側部材をそのままにして握り側部材の形状や色彩を変更するだけで、把手としてのデザインを変えることができ、デザインを多様化できる上に、デザインの変更に伴う金型の変更も少なくて済み、金型代を抑えることもできる。
【００１７】
しかも、本発明の把手構造によれば、少なくとも容器側部材と握り側部材の二つの部材よりなるので、仮に一部が破損した場合は、破損した部材のみを取り換えることで対応でき、把手全体を取り換える場合に比して経済的である。また、握り側部材には、取付用のボルト部材を通す貫通孔を設けておく必要がないため、外観的な体裁も良好である。
【発明を実施するための最良の形態】
【００１８】
次に本発明の実施の形態を図面に示す実施例に基づいて説明する。
【００１９】
図１は、飲料抽出器の一例としてのコーヒーメーカーの略示斜視図、図２は同上の一部を省略した断面図である。図３は飲料容器の把手部分での縦断面図、図４は同上の把手の分解斜視図である。図５は容器側部材に上下支持部を固定した状態の斜視図、図６は容器側部材の固定部での一部の横断面図、図７及び図８は他の実施例を示す一部の断面図である。
【実施例】
【００２０】
図１は飲料抽出器の１例としてのコーヒーメーカーＡを示している。このコーヒーメーカーＡは、水タンク４から上部の出湯口５に至る給湯通路６と、該給湯通路６を通過する水を加熱する湯沸かし用の加熱手段としてのヒータ７を含み、所定の温度に加熱した湯を前記出湯口５から吐出する加熱給湯機能を有する本体３と、抽出用原料であるコーヒー粉を収容し且つ前記本体３上部の出湯口５から吐出される湯を注ぐことにより飲料成分を抽出するフィルター付きの抽出器８と、前記抽出器８で抽出されて落下する抽出液を受けるサーバーとしての把手２付きの飲料容器１とを備えてなる。
【００２１】
前記本体３は、前記飲料容器１の載置部３１を構成する基台部３０と、該基台部３０の前記載置部３１より後側に連設されて上方に立ち上がった支柱を兼ねる中空の筒状本体部３２と、該筒状本体部３２の上部、例えば図のように上端部より前方側の前記載置部３１の上方に向かって突出した出湯部３３とを有している。そして、前記筒状本体部３２内に前記水タンク４が設定され、該水タンク４の底部に前記給湯通路６が連結されている。給湯通路６は、前記基台部３０における載置部３１の下の加熱部を通過して筒状本体部３２内を上方に延び、前記出湯部３３に有する出湯口５に連結されている。
【００２２】
前記載置部３１の下の加熱部には、該載置部３１の下面に沿って前記ヒータ７が環状に配設されるとともに、該ヒータ７に沿って前記給湯通路６が環状に配置されており、前記水タンク４内の水が前記給湯通路６の前記環状部分６ａを通過する間に、前記ヒータ７により所定に温度に加熱できるように設けられている。前記ヒータ７は、載置部３１に置かれた飲料容器１を保温をも兼ねている。前記給湯通路６には、前記環状部分６ａの終端部等の所定の個所に、給湯通路６内を流れる湯の温度が設定された温度以上のときに開となるように制御される開閉弁機構やヒータ７の温度を設定範囲に保持する温調手段（図示せず）が設けられる。
【００２３】
なお、前記のヒータ７に代えて、水タンク４に湯沸かし用の加熱手段を設けておいて、加熱した湯は給湯通路６を介して給湯する場合もある。
【００２４】
前記抽出器８は、例えば、図のように前記飲料容器１の開口部に対し脱着自在に嵌合されて使用されるものであり、例えば、ティー用の抽出器の場合は、前記飲料容器１の開口部に嵌合しかつ上縁部が飲料容器１の開口端に係止できる濾し器で、特に茶葉を収容して湯を注いでも通り抜けできないように保持できる多孔部材や網体よりなる濾し器８１が用いられる。また、コーヒー用の抽出器の場合は、図２のように、前記同様に飲料容器１に嵌合して上縁部が飲料容器１の開口端に係止する漏斗状のチャンバー８３が用いられ、所定の形状に折り畳まれたフィルター（図示せず）を内装しセットして、該フィルター内に収容したコーヒー粉に出湯口５から吐出される湯を注ぐことにより、コーヒー成分を抽出できるものからなる。前記コーヒー用の抽出器としては、布製フィルターを利用する場合もある。図中の８２は出湯口５から吐出された湯が通る口を有する蓋体であり、前記濾し器８１及び前記チャンバー８３の双方に被蓋自在である。前記濾し器８１とチャンバー８３及び蓋体８２には、それぞれ対応個所に把手部８１ａ，８３ａ及び８２ａが設けられている。
【００２５】
なお、図１及び図３では、ティー用の抽出器の濾し器８１と、コーヒー用の抽出器のチャンバー８３とを重ねて図示しているが、実際の使用の際は、いずれか一方が図２のようにセットされて使用される。
【００２６】
前記抽出器８は、必ずしも飲料容器１の開口部に嵌合して使用するものには限らず、飲料容器とは別に、飲料容器１の上方位置に支持する構成とする場合もある。
【００２７】
そして、前記のコーヒーメーカーＡ等の飲料抽出器において使用する把手２付きの飲料容器１は、次のように構成されている。
【００２８】
この飲料容器１は、容器本体１０が主としてガラス材により形成されてなり、上部開口に前記抽出器８を嵌合でき、かつ該抽出器８を取り外したときには別の専用の蓋（図示せず）を脱着可能に被着できるように設けられている。前記抽出器８の蓋体８２を兼用してもよい。前記容器本体１０は、耐熱性のある合成樹脂製の容器或いは金属製や陶磁器性の容器の場合もある。
【００２９】
前記容器本体１０の胴部１１の側面には、主として合成樹脂材より成形される把手２が長手方向を上下方向にして取設されている。図の場合は、前記容器本体１０の胴部１１の上部に有する凹部１２に金属製のバンド部材１３が締め止めされており、該バンド部材１３に対して、前記把手２がねじ部材２５により締結され固定されている。
【００３０】
前記把手２は、胴部１１の側面に固定される容器側部材２１と、該容器側部材２１より外方の握り部を構成する握り側部材２２との少なくとも二つの部材が合成樹脂材により別形成されるとともに、前記容器側部材２１の上下両端部から外方に延出している上下支持部２３，２４に、前記握り側部材２２が連結固定されてなる。
【００３１】
前記容器側部材２１は、図６のように、横断面が略半円形で、前記胴部１１の側面との対向側面が該胴部側面に対応した円弧状の曲面をなすとともに、該容器側部材２１が、前記胴部１１の側面の前記バンド部材１３に対して締結されることで、前記対向側の曲面が前記胴部１１側面に密接した状態で傾きが容易に生じないように形成されている。図中の２６は前記容器側部材２１を固定するための固定用孔であり、該固定用孔２６を通して前記ねじ部材２５により前記バンド部材１３に対し固定されている。前記ねじ部材２５による固定と、胴部側面に対する接着手段とを併用して、強固に取り付け固定する場合もある。また前記ねじ部材による固定個所を２個所とする場合もある。
【００３２】
図１〜図６の実施例においては、前記把手２における上下支持部２３，２４が、前記容器側部材２１とは別体に形成され、該容器側部材２１に対し上下両端部から外方への延出状をなすように固定されている。具体的には、前記容器側部材２１の上下両端部における胴部１１の側面との対向側にそれぞれ切欠段部２１ａ，２１ａが形成され、該容器側部材２１とは別形成された前記上下支持部２３，２４が、それぞれ前記切欠段部２１ａ，２１ａに対応する基端部２３ａ，２４ａと、該基端部２３ａ，２４ａから屈曲して外方へ延出する部分２３ｂ，２４ｂとによる鉤状をなし、前記切欠段部２１ａ，２１ａにおいて前記基端部２３ａ，２４ａが容器側部材２１にビス等のねじ手段２１ｂ，２１ｂにより締結固定されている。この際、前記基端部２３ａ，２４ａ及び前記ねじ手段２１ｂ，２１ｂと、前記胴部側面との間に間隙Ｓを保有して、前記ねじ部材２５による締め付けを前記上下支持部２３，２４に容器本体１０の熱が直に伝わらないように設けられている。
【００３３】
前記握り側部材２２は、例えば図のように把持できる程度の略円柱状をなすものとし、その上下両端部が前記上下支持部２３，２４に対し固定される。この固定手段として、図示する実施例の場合、下端部では、下側支持部２４の突出側端部に有する四角形や六角形等の角形穴２４ｃに対し、該握り側部材２２の下端部に突設した角形軸部２２ａを嵌合しし、また、握り側部材２２の上端部において、図のように上側の支持部２３の突出側端部に有する固定用孔２３ｃにおいてビス等のねじ部材２７により締結固定されており、これにより回転しないように連結固定されている。前記上側の固定用孔２３ｃには、前記ねじ部材２７の締め付け後に、該固定用孔２３ｃを塞ぐ閉塞部材２８が嵌着される。前記ねじ部材２７による締め付け部分には、必要に応じて緩み止めが施される。
【００３４】
前記握り側部材２２の下端部においても、図示していないが、上端部と同様に、支持部２４に有する固定用孔においてねじ部材により締結して固定することもできる。この場合も、回り止め手段を設けておくのが望ましく、また接着材と併用することもできる。
【００３５】
前記握り側部材２２は、図のように横断面円形の柱状をなすものには限らず、横断面が丸みのある角形や楕円形、あるいは長さ方向に凹凸を有する形状、あるいは把持する手の指が当たる部分に凹部を有する形状、その他、デザイン性や握り易さ等を考慮して、種々の形態による実施が可能である。また、上記した容器側部材２１や上下支持部２３，２４についても、図示する形状のものには限らず、種々の形態による実施が可能である。例えば、上下支持部２３，２４については、図のような単純な平面形状の板状をなすものに限らず、握り側部材２２との連結部分を除いて湾曲状や曲線状をなすもの（図示せず）等、種々の形状にして実施できる。
【００３６】
なお、前記の飲料容器１に前記抽出器８を嵌合する際に、前記濾し器８１又はチャンバー８３の把手部８１ａ又は８３ａを前記把手２の上側支持部２３の位置に位置合わせするための手段を、前記把手部８１ａと前記支持部２３との少なくとも一方に設けておくのがよい。図の場合、前記把手部８１ａ又は８３ａに、前記支持部２３に両側端に嵌合する凸部８１ｂ又は８３ｂが設けられ、位置決めできるようになっている。
【００３７】
上記した実施例においては、容器側部材２１と別形成した上下支持部２３，２４を容器側部材２１に固定して連設する場合を示したが、このほか、図７のように、上下支持部２３，２４を容器側部材２１と一体に形成して、該容器側部材の上下端部から外方へ延出させたものとし、上記と同様に、該上下支持部２３，２４に握り側部材２２を連結固定して実施することもできる。また、図８及び図９のように、上下支持部２３，２４を前記容器側部材２１の胴部１１との対向側に有する凹部２１ｃに嵌合する連結部２９を介して一体に連結形成しておき、前記連結部２９を前記凹部２１ｃに嵌合した状態で胴部１１の側面に固定して実施することができる。これらの実施例の場合、握り側部材２２は、上下端部共に前記上下支持部２３，２４に対しねじ部材２７により固定される。
【００３８】
図示していないが、前記容器側部材２１を胴部１１の側面に接着するとともに、該胴部に締め止めされているバンド部材の両端部で挟んだ状態にして、該両端部と容器側部材を幅方向に貫通するねじ部材により締結することにより固定することもできる。
【００３９】
上記したように、本発明の飲料容器１の把手２の構造においては、容器側部材２１と握り側部材２２、さらには前記容器側部材２１の上下端部より外方に延出する上下支持部２３，２４の各部材を、それぞれ個別に形成しておいて、容器本体１０の胴部１１に固定し組み立て構成するようにしたので、これら各部材の材質や色彩等が異なる組み合わせにすることができ、これにより把手の外観上の意匠的効果を高めることができる。例えば、容器側部材２１を黒色系とし、また上下支持部２３，２４を銀白色系のメタリックな色彩や外観を呈するものとし、さらに握り側部材２２を木調の色彩や外観を呈するものとすることにより、コーヒーメーカーＡに使用する飲料容器１の把手２として、好適な印象を与え、高級感のある外観を呈するものになる。
【００４０】
また、前記のように握り側部材２２を容器側部材２１や上下支持部２３，２４とは別形成したことにより、容器側部材２１の形状等を変更しないでも、握り側部材２２の形状や色彩を変更することができ、把手２としてのデザインを容易に変更できる。また、前記各部材の材質や色彩の組み合わせにより、把手２のデザインを多様化できる。
【００４１】
従って、把手全体を変更する場合に比して、デザインの変更に伴う金型の変更も少なくて済み、金型代を抑えることもできる。また、把手全体が複雑な形状であっても、前記各構成部材それぞれの形状を比較的単純化でき、それぞれの成形が容易になり、金型コストも低くて済むことになる。さらに、把手を構成する一部の部材に成形不良が生じたり、破損が生じた場合には、一部の部材のみを交換するだけでよく、把手全体を取り換える場合に比して経済的である。
【産業上の利用可能性】
【００４２】
本発明の飲料抽出器における飲料容器の把手構造は、コーヒーメーカーのほか、紅茶などのティーメーカーその他の熱湯を注いで飲料成分を抽出する各種の飲料抽出器の飲料容器に利用できる。
【図面の簡単な説明】
【００４３】
【図１】飲料抽出器としてのコーヒーメーカーの飲料容器を分離した略示斜視図である。
【図２】同上の一部を省略した断面図である。
【図３】飲料容器の把手部分での縦断面図である。
【図４】同上の飲料容器の把手構造の分解斜視図である。
【図５】容器側部材に上下支持部を固定した状態の斜視図である。
【図６】容器側部材の固定部での一部の横断面図である。
【図７】把手構造の他の実施例を示す一部の断面図である。
【図８】把手構造のさらに他の実施例を示す分解斜視図である。
【図９】同上の組み立て固定した状態の断面図である。
【符号の説明】
【００４４】
Ａ…コーヒーメーカー、Ｓ…間隙、１…飲料容器、２…把手、３…本体、４…水タンク、５…出湯口、６…給湯通路、６ａ…環状部分、７…ヒータ、８…抽出器、１０…容器本体、１１…胴部、１２…凹部、１３…バンド部材、２１…容器側部材、２１ａ…切欠段部、２１ｂ…ねじ手段、２２…握り側部材、２２ａ…角形軸部、２３，２４…上下支持部、２３ａ，２４ａ…基端部、２３ｂ，２４ｂ…外方へ延出する部分、２３ｃ…固定用孔、２４ｃ…角形穴、２５…ねじ部材、２６…固定用孔、２７…ねじ部材、２８…閉塞部材、２９…連結部、３０…基台部、３１…載置部、３２…筒状本体部、３３…出湯部、８１…濾し器、８１ａ…把手部、８１ｂ…凸部、８２…蓋体、８３…チャンバー、８３ａ…把手部、８３ｂ…凸部。
【図１】
2009060931.tif 000003
【図２】
2009060931.tif 000004
【図３】
2009060931.tif 000005
【図４】
2009060931.tif 000006
【図５】
2009060931.tif 000007
【図６】
2009060931.tif 000008
【図７】
2009060931.tif 000009
【図８】
2009060931.tif 000010
【図９】
2009060931.tif 000011